(57)【要約】【課題】レールの着脱を簡単に行うことができる引き戸用レールの取付構造を提供することを課題とする。【解決手段】戸袋の両側が壁ボードで覆われた引き戸ユニット１における、引き戸５が摺動するレール４を引き戸枠である外枠２に取り付けてなる引き戸用レールの取付構造であって、ネジ部９１とスペーサ部９２とネジ部９１より大径に形成された頭部９３とを有する取付部材であるビス９を有し、外枠２には、レール４側に向けて頭部９３が突出するようにビス９が設けられ、レール４には、ビス９の頭部９３を挿通可能な貫通孔４３ａと、ビス９のうちネジ部９１のみを挿通可能な長孔４３ｂとが連続してなる取付孔４３が形成され、レール４を、貫通孔４３ａにビス９の頭部９３を挿通した状態でスライドさせ、長孔４３ｂにビス９のスペーサ部９２が係合することで、レール４が外枠２に取り付けられている。【選択図】図４
2007170083.tif 000002
【特許請求の範囲】
【請求項１】
戸袋の両側が壁ボードで覆われた引き戸ユニットにおける、引き戸が摺動するレールを引き戸枠に取り付けてなる引き戸用レールの取付構造であって、
軸部とこの軸部より大径に形成された頭部とを有する取付部材を有し、
前記引き戸枠には、前記レール側に向けて前記頭部が突出するように前記取付部材が設けられ、
前記レールには、前記取付部材の前記頭部を挿通可能な貫通孔と、前記取付部材のうち前記軸部のみを挿通可能なガイド孔とが連続してなる取付孔が形成され、
前記レールを、前記貫通孔に前記取付部材の前記頭部を挿通した状態でスライドさせ、前記ガイド孔に前記取付部材の前記軸部が係合することで、前記レールが前記引き戸枠に取り付けられていることを特徴とする引き戸用レールの取付構造。
【請求項２】
前記取付部材の前記軸部は、前記引き戸枠に螺入されるネジ部と、このネジ部より前記頭部側に位置するスペーサ部とからなり、前記スペーサ部は前記レールの厚み分の厚みを有することを特徴とする請求項１に記載の引き戸用レールの取付構造。
【発明の詳細な説明】
【技術分野】
【０００１】
本発明は、引き戸用レールの取付構造に関するものである。
【背景技術】
【０００２】
近年、ユニバーサルデザインの観点から、開閉が容易な引き戸が注目を浴びている。
一般に、引き戸ユニットには、引き戸の片面側にのみ壁ボードを設置し、その反対側は開放した片面タイプの戸袋を有するものがあるほか、引き戸の両面側を壁ボードで覆う両面タイプの戸袋を有するものがある（例えば、特許文献１参照）。両面タイプの戸袋を有する引き戸ユニットは、片側に戸袋が露出することがないことからデザイン性も良く、また、戸袋の向きによる使い勝手の制約もないことから、各部屋の間仕切りとして活用されつつある。
【０００３】
また、種々の引き戸の中でも、上吊式の引き戸の需要が高まっている。上吊式の引き戸は、上枠に固定されたレールに吊り下げられて開閉されるもので、床面に段差を発生させないことからバリアフリーを実現する。引き戸ユニットの取付けに際しては、上吊式用のレールを上枠にビスで固定した後、戸袋の両面に壁ボードを設置する。
【特許文献１】特開平１０−４６９２３号公報（段落０００９，００１６、図４）
【発明の開示】
【発明が解決しようとする課題】
【０００４】
ところで、従来の両面タイプの戸袋を有する引き戸ユニットでは、レールが上枠にビスで固定されていたため、レールの戸袋側を上枠から取り外すためには、壁ボードを一旦壊さなければならなかった。しかしながら、このような作業を、レールのメンテナンスの度に行うのでは、作業効率が悪化し、コストも高くなるという問題があった。
【０００５】
そこで、本発明では、レールの着脱を簡単に行うことができる引き戸用レールの取付構造を提供することを課題とする。
【課題を解決するための手段】
【０００６】
前記課題を解決するため、請求項１に係る発明は、戸袋の両側が壁ボードで覆われた引き戸ユニットにおける、引き戸が摺動するレールを引き戸枠に取り付けてなる引き戸用レールの取付構造であって、軸部とこの軸部より大径に形成された頭部とを有する取付部材を有し、前記引き戸枠には、前記レール側に向けて前記頭部が突出するように前記取付部材が設けられ、前記レールには、前記取付部材の前記頭部を挿通可能な貫通孔と、前記取付部材のうち前記軸部のみを挿通可能なガイド孔とが連続してなる取付孔が形成され、前記レールを、前記貫通孔に前記取付部材の前記頭部を挿通した状態でスライドさせ、前記ガイド孔に前記取付部材の前記軸部が係合することで、前記レールが前記引き戸枠に取り付けられていることを特徴とする。
【０００７】
請求項１に係る発明によれば、レールの貫通孔に取付部材の頭部を挿通した状態でレールをスライドさせて、ガイド孔に取付部材の軸部を係合させることで、レールを引き戸枠に取り付けることができる。また、レールを逆向きにスライドさせれば、貫通孔から取付部材の頭部を抜くことができるので、レールを引き戸枠から取り外すことができる。つまり、戸袋の外に露出したレールをスライドさせるだけで、レールの着脱を行うことができる。
【０００８】
請求項２に係る発明は、請求項１に記載の引き戸用レールの取付構造において、前記取付部材の前記軸部は、前記引き戸枠に螺入されるネジ部と、このネジ部より前記頭部側に位置するスペーサ部とからなり、前記スペーサ部は前記レールの厚み分の厚みを有することを特徴とする。
【０００９】
請求項２に係る発明によれば、引き戸枠には、取付部材のネジ部が螺入されて取り付けられ、この引き戸枠からスペーサ部と頭部がレール側に向けて突出している。そして、レールの貫通孔に取付部材の頭部を挿通した状態でレールをスライドさせて、ガイド孔に取付部材のスペーサ部を係合させることで、レールを引き戸枠に取り付けることができる。このとき、取付部材のスペーサ部により、取付部材の頭部と引き戸枠との間に、レールの厚み分の厚みが確保されているため、レールの取付作業を容易に行うことができる。
【発明の効果】
【００１０】
本発明に係る引き戸用レールの取付構造によれば、引き戸枠に対してレールの着脱を簡単に行うことができる。その結果、レールのメンテナンス等を簡単に行うことができる。
【発明を実施するための最良の形態】
【００１１】
次に、本発明の実施の形態について、適宜図面を参照しながら詳細に説明する。図１は、本実施形態に係る引き戸ユニットを示す斜視図であり、図２は、本実施形態に係る引き戸ユニットを示す断面正面図である。なお、図１に示す、建物に取り付けられるときの引き戸ユニットの状態を基準に、前後左右上下の方向を定め、以下、説明するものとする。
【００１２】
図１および図２に示すように、本実施形態に係る引き戸ユニット１は、各部屋の間仕切りとして建物に取り付けられるユニットであり、略方形枠状に組まれた外枠２（引き戸枠）と、この外枠２の前後方向両側に接合される一対の中間縦枠３，３（図１では前側の１本のみ図示）と、外枠２に取り付けられるレール４と（図２参照）、外枠２の枠内をレール４に沿って左右方向に移動する上吊式の引き戸５とを備えて構成されている。そして、外枠２の両側には、壁ボード６，６（図２、図３参照）が貼り付けられており、外枠２と壁ボード６で囲まれた空間が、引き戸５を収納するための戸袋７となっている。また、外枠２内の壁ボード６，６で囲われない開口部側は、出入口８となっている。なお、出入口８側が引き戸５の「戸先５ａ側」であり、戸袋７側が「戸尻５ｂ側」である。
【００１３】
外枠２は、壁ボード６等を支える骨組体であり、左右に配列された戸先側縦枠２１および戸尻側縦枠２２と、この戸先側縦枠２１と戸尻側縦枠２２の上端部間に連結される上横枠２３と、戸尻側縦枠２２と中間縦枠３の下端部間に連結される下横枠２４とから構成される。外枠２は、戸袋７側が矩形状を呈し、出入口８側が逆Ｌ字状を呈する形状になっている。
【００１４】
図３は図２の引き戸ユニットのIII−III線矢視断面図である。
図３に示すように、戸先側縦枠２１は、長尺状のコ字状部材２１ｂである。このコ字状部材２１ｂは、鉛直に立設される長尺角パイプ状の下地材２１ａに外嵌するとともに、長尺角パイプ状の下地材２１ｃに隣接するように配置される。下地材２１ａの引き戸５側には、ドア枠２１ｄが固定される。コ字状部材２１ｂおよび下地材２１ｃの前（正面）側および後（背面）側には壁ボード６Ａ，６Ａが取り付けられ、壁ボード６Ａの外面側から下地材２１ｃに向けて螺入されるビスＶ１で固定される。また、ドア枠２１ｄは下地材２１ａにビスＶ２で固定される。ドア枠２１ｄの幅方向中央には、上下方向に沿って溝部Ｄが設けられており、引き戸５の戸先５ａの戸当り部となっている。戸先５ａがこの溝部Ｄに嵌まり込むことで、引き戸ユニット１で仕切られた各部屋に互いの部屋の光が漏れないようになっている。
【００１５】
戸尻側縦枠２２は、前記戸先側縦枠２１と所定間隔を空けて鉛直に立設される部材である。戸尻側縦枠２２は、長尺角パイプ状の下地材２２ａに取り付けられる部材２２ｂから構成される。下地材２２ａの前側および後側には壁ボード６，６が取り付けられ、壁ボード６の外面側から下地材２２ａに向けて螺入されるビスＶ３で固定される。部材２２ｂは、断面略コ字状の長尺部材であり、下地材２２ａとともに、壁ボード６を支持する。部材２２ｂの内側にはゴム部材２２ｃが取り付けられており、このゴム部材２２ｃは引き戸５の戸尻５ｂの戸当たりを緩衝するようになっている。
【００１６】
図４（ａ）は、図２の引き戸ユニットのIV−IV線矢視断面図であり、（ｂ）はレールの取付構造の要部拡大図である。
図４（ａ）に示すように、上横枠２３は、上向きに開口した断面コ字状の下部材２３ａと、この下部材２３ａに上側から嵌合する断面コ字状の上部材２３ｂとから、略角パイプ状に組まれた部材である。下部材２３ａは、図２に示すように、戸先側縦枠２１と戸尻側縦枠２２にビス止めされて固定されている。また、下部材２３ａの下部には、ビス９が螺入されている。このビス９は、レール４を取り付ける際の取付部材となるもので、図４（ｂ）に示すように、ネジ部９１と、スペーサ部９２と、頭部９３とから構成される。ネジ部９１は、下部材２３ａに螺入されて取り付けられる部分である。また、スペーサ部９２は、レール４の厚み分の厚みを有し、レール４が取り付けられる際のレール厚み分を確保する。また、頭部９３は最も大径の部分で、レール４を係止する部分であり、レール４側に突出している。上部材２３ｂは、下部材２３ａに戸先側と戸尻側に二つ並べてビス止めされている。また、戸先側の上部材２３ｂの前側および後側には、断面Ｌ字状のＬ字状部材２３ｃ（図１および図４参照）が固定され、図４（ａ）に示すように、建物開口部の上壁６Ｂを受ける部分となっている。また、戸尻側の上部材２３ｂの前側および後側には、平板２３ｄ（図１参照）が固定されている。この平板２３ｄにより、壁ボード６を貼り付ける際の隙間が生じないようになっている。
【００１７】
下横枠２４は、断面略コ字状の長尺部材である。下横枠２４は、建物の床面側に、開口側が上を向いた状態で、前記上横枠２３と平行に、かつ対峙するように取り付けられている。下横枠２４の前側および後側には、壁ボード６を貼り付ける際、隙間が生じないようにするための平板２４ａ，２４ａがそれぞれ固定されている。また、下横枠２４の内側には、断面Ｔ字状の振れ止め部材２４ｂが設けられている。
なお、床面への固定方法は、釘打ち、ビス止め、接着等、種々の手段を用いることができる。
【００１８】
再び図３（ａ）に戻って示すように、中間縦枠３は、外枠２の前側および後側に、一対取り付けられており、外枠２を補強している。中間縦枠３は、その上端部および下端部が外枠２の上横枠２３および下横枠２４（図１参照）にそれぞれビス止めされる接合部３１と、その接合部３１から連続して形成される断面コ字状の補強材取付部３２と、この補強材取付部３２に取り付けられる補強材３３とから構成される長尺部材である。外枠２に対する接合部３１の取付手段は、ビス止めに限定されるものではなく、溶接、両面テープ、接着剤等種々の手段を採用することができる。ちなみに、従来の間仕切りでは、タッピングビス等で下地材を留め付けることが多かったが、外枠２内にビスが飛び出て引き戸５等に傷が付くことを防止するため、本実施形態では、前記手段を採用した。
【００１９】
補強材３３は、補強材取付部３２の全長に亘って、補強材取付部３２内に嵌め込まれる角パイプであり、外枠２を補強する。補強材３３は、両面テープや接着剤等で補強材取付部３２に取り付けられ、さらにビスＶ４で固定される。また、補強材３３の内側には、ブラシ３４が上下方向に沿って取り付けられている。このブラシ３４は、低摩擦特性を有するフッ素樹脂からなるもので、引き戸５に摺接しても引き戸５を損傷させにくくなっている。
【００２０】
また、補強材取付部３２およびこの補強材取付部３２に取り付けられる補強材３３には、その外側から、カバー部材３５が被せられている。カバー部材３５は、断面略コ字状の部材で、補強材取付部３２に外側から嵌合できるようになっており、これらの取付強度を確保することができる。なお、カバー部材３５に引き戸５等と外観を合わせた薄い化粧シート等を貼り付けておくと、一層見栄えが良い。
【００２１】
図４（ｂ）に示すように、レール４は、下側の中央が一部開口した開口部４１を有する枠状の長尺部材である。このレール４の内部に引き戸５のローラ５２が転動し、引き戸５が摺動可能になっている。また、レール４の上面部４２には、取付孔４３が形成され、この取付孔４３に前記したビス９が挿通されるようになっている。
【００２２】
図５は、図２の引き戸ユニットのV−V線矢視断面図である。
図５に示すように、取付孔４３は、長手方向に複数（図５では３箇所）形成されている。各取付孔４３は、楕円形の貫通孔４３ａと、長孔４３ｂ（ガイド孔）とが連続して形成されたものである。貫通孔４３ａは、ビス９の頭部９３が挿通可能な大きさに形成されている。長孔４３ｂは、ビス９の頭部９３は挿通不可能で、スペーサ部９２のみが挿通可能な大きさに形成されている。
レール４の貫通孔４３ａを、図４（ｂ）に示すように、上横枠２３の下部材２３ａに取り付けられたビス９の頭部９３に挿通し、その状態でレール４をスライドさせて、ビス９を長孔４３ｂ側に係合させることで、レール４は外枠２に取り付けられる。なお、取付後は、レール４と外枠２の位置がずれないように、出入口８側（図２参照）に露出するレール４を外枠２にビス１０で固定するようになっている。
【００２３】
図４（ａ）に示すように、引き戸５には、その上部に固定されるローラ保持部材５１と、このローラ保持部材５１に回転自在に支持される一対のローラ５２，５２とが取り付けられている。ローラ５２，５２は前記したレール４内を転動するようになっており、これにより、引き戸５は、レール４に吊り下げられた状態で、レール４に沿って移動自在になっている。また、引き戸５の下部は、左右方向に沿って溝部５ｃが形成されており、この溝部５ｃ内に下横枠２４の内側に設けられた振れ止め部材２４ｂが嵌まり、引き戸５の振れを防止する。
【００２４】
図３に示すように、壁ボード６は、その表面に壁クロス等を貼られた壁材であり、例えば、従来用いられている石膏ボード、硬質石膏ボード等から構成されるものである。壁ボード６は、外枠２の前側および後側に設けられるもので、前記したように、戸尻側縦枠２２の下地材２２ａにビスＶ３で留め付けられるとともに、戸尻側縦枠２２の部材２２ｂおよび中間縦枠３の接合部３１には両面テープ等で固定されている。これにより、外枠２内にビス等が突出して建具を傷つけるようなことがなく、簡易に固定することができる。この壁ボード６により、外枠２の前側および後側（前後方向両側）でそれぞれ強度を確保することができる。
【００２５】
そして、前記したように壁ボード６，６間に挟まれた空間が戸袋７として構成される空間であり、中間縦枠３から戸先側縦枠２１までの開口部が出入口８となっている。引き戸５が戸袋７内に収納されているときが、引き戸５の開状態であり、この開状態から、引き戸５が出入口８側に移動して出入口８を覆うときが、引き戸５の閉状態である。
【００２６】
以上によれば、本実施形態に係る引き戸ユニット１において、以下の効果を得ることができる。
【００２７】
このような引き戸ユニット１によれば、レール４の貫通孔４３ａにビス９の頭部９３を挿通した状態でレール４をスライドさせて、長孔４３ｂにビス９のスペーサ部９２を係合させることで、レール４を外枠２に取り付けることができる。また、レール４を逆向きにスライドさせれば、貫通孔４３ａからビス９の頭部９３を抜くことができるので、レール４を外枠２から取り外すことができる。つまり、戸袋７の外に露出したレール４をスライドさせるだけで、レール４の着脱を簡単に行うことができる。また、ビス９のスペーサ部９２により、ビス９の頭部９３と外枠２との間に、レール４の厚み分の厚みが確保されているため、レール４の取付作業を容易に行うことができる。なお、レール４を取り付けた後に、引き戸５は取り付けられるようになっている。
【００２８】
以上、本実施形態の引き戸ユニット１について説明したが、本発明はこれに限定されるものではない。
【００２９】
例えば、本実施形態では、上吊式の引き戸５として説明したが、下部にローラを有する戸車式の引き戸にも対応することができる。
また、外枠２の構成は特に限定されるものではなく、下横枠２４は戸尻側縦枠２２から戸先側縦枠２１まで延びるものであってもよい。
【００３０】
また、中間縦枠３は、予め、外枠２に固定するものとしたが、外枠２を建物に設置後、中間縦枠３を外枠２に取り付けるものとしてもよい。これによれば、引き戸５を取り付けてから中間縦枠３を取り付けることができるので、引き戸５を設置時に損傷することがない。
また、取付部材としてのビス９には、レール４の厚みを確保するためのスペーサ部９２を設けたが、例えば、別体のスペーサを間に挟むものであってもよい。また、スペーサ部９２を設けずとも、ビス９を適度の深さで取り付けるものであってもよい。これによっても、レール４を取り付けるための厚みを確保することができる。
【図面の簡単な説明】
【００３１】
【図１】本実施形態に係る引き戸ユニットを示す斜視図である。
【図２】本実施形態に係る引き戸ユニットを示す断面正面図である。
【図３】（ａ）は図２の引き戸ユニットのIII−III線矢視断面図であり、（ｂ）は（ａ）のブラシ近傍（符号Ａの囲った部分）の要部拡大図である。
【図４】図２の引き戸ユニットのIV−IV線矢視断面図である。
【図５】図２の引き戸ユニットのV−V線矢視断面図である。
【符号の説明】
【００３２】
１      引き戸ユニット
２      外枠
３      中間縦枠
４      レール
５      引き戸
９      ビス（取付部材）
９１    ネジ部
９２    スペーサ部
９３    頭部
【図１】
2007170083.tif 000003
【図２】
2007170083.tif 000004
【図３】
2007170083.tif 000005
【図４】
2007170083.tif 000006
【図５】
2007170083.tif 000007